【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
固体及び液体を含む固液混合水が溜められた貯水槽内に設置されて、前記固液混合水を前記貯水槽内から外に移送する水中ポンプにおいて、
前記固液混合水を吸入する吸入口及び前記固液混合水を吐き出す吐出口を有する水中ポンプ本体と、
前記貯水槽内の底面に設置され、前記水中ポンプ本体を所定の傾斜角度で保持する傾斜ポンプ台と、
前記水中ポンプ本体の内部で駆動軸と共に回転し、羽根を有するインペラとを備え、
前記水中ポンプ本体は、空気抜き孔が不要であり、
前記水中ポンプ本体の吐出口は、上部位に設けられ、
前記インペラは、羽根付き螺子で前記駆動軸に結合されることを特徴とする水中ポンプ。
【請求項２】
前記所定の傾斜角度は、略２０度であることを特徴とする請求項１に記載の水中ポンプ。
【手続補正２】
【補正対象書類名】明細書
【補正対象項目名】全文
【補正方法】変更
【補正の内容】
【発明の詳細な説明】
【発明の名称】水中ポンプ
【技術分野】
【０００１】
水中ポンプに関し、特に汚物又は汚水等を含む固液混合水を移送する水中ポンプに関するものである。
【背景技術】
【０００２】
水中ポンプには、ポンプ機能維持の為に必要な空気抜き孔が存在する。そして、この水中ポンプの空気抜き孔を原因として、ポンプ機能に障害がしばしば発生する。
【０００３】
ポンプ機能に障害が発生する原因は、水中ポンプのインペラの中心付近に空気が滞留する為である。特に固液混合水を移送する場合、空気抜き孔への異物詰まりや異物堆積により、摩擦による水中ポンプのインペラ欠損事故が多発している。
【０００４】
上水道水や濾過水、液体化学薬品等の純粋な液体のみを移送する場合と異なり、固液混合水を移送する場合には、空気抜き孔の直径が数［ｍｍ］の小口径であるために、インペラの中心付近に滞留した空気を抜くの為の加圧水流で、空気抜き孔が固形物で詰まることが多い。水中ポンプは、空気抜き孔が詰まると、ポンプ機能が停止する。
【０００５】
特に、繊維状の異物で空気抜き孔が詰まる場合、空気抜き孔付近は、加圧水とインペラ回転による作用で、異物が強制的に集まる。インペラ外周の摩擦圧力が増加し、インペラ裏側と本体との僅かな間隙への異物堆積により、インペラ線状摩耗が発生する。このため、インペラ欠損、ポンプ停止、又は、停止後の起動不能になる。
【０００６】
また、長い繊維状の異物は、空気抜き孔への加圧水流によりインペラ裏側に導入され、インペラ回転の回転水流で駆動軸に巻きつき堆積するので、メカニカルシーリングの機能不全がしばしば発生する。
【０００７】
これに対して、空気抜き孔の直径を大きくしても、又は、ポンプの空気抜き孔からのリーク水圧を大きくしても好結果は得られない。空気抜き室にガラス球を入れてポンプ水圧で昇降させ、空気抜き完了後に水圧でガラス球が空気抜き孔を塞ぐ方式がある。この方式を用いても、空気抜き室内に異物堆積すれば、ポンプ機能が停止する。ポンプ機能が停止することは、汚物・汚水用の水中ポンプの大きな問題となっている（例えば、特開２００３−１０６２８８号公報）。
【特許文献１】特開２００３−１０６２８８号公報
【発明の開示】
【発明が解決しようとする課題】
【０００８】
液体を移送する水中ポンプは、液体と共に空気を吸入する場合がある。空気抜き孔が詰まった状態のままでは、水中ポンプのインペラに空気が滞留して、ポンプ機能は停止する。汚物・汚水用の水中ポンプでは、空気抜き孔が詰まる場合が多いにもかかわらず、このような問題に対して有効な空気抜き孔の対策は、存在しない。
【０００９】
ポンプ吸入口から空気を吸入した場合、陸上設置のポンプならば人為的に空気抜き作業を行うことも可能だが、水中ポンプでは空気抜き作業を行うことが困難である。
【００１０】
水中ポンプは、稼働時にポンプ吸引開口部から吸い込んだ液体を、空気抜き孔から水中に排出する。従って、空気抜き孔は、大きくできないので、５［ｍｍ］前後に設計される。水中に液体以外の異物が混入した場合、必ず空気抜き孔への導水があるので、異物により空気抜き孔が詰まることが多い。
【００１１】
水中ポンプは、汚物・汚水を入れた５００［ｌ]タンクに装填され、有機液体を肥料化する為に利用される。有機物は、残渣の原形ではなく、ディスポーザーを経由して完全破砕して投入した場合、汚物等の有機物は、ディスポーザーで１０［ｍｍ］から１５［ｍｍ］に破砕され、細い１０［ｍｍ］前後の繊維状物質となる。この繊維状物質は、空気抜き孔へのリーク水によりインペラ周辺に異物として堆積する。このため、ポンプ機能が停止する。
【００１２】
水中ポンプには、空気抜き孔として、ガラス球を封入した空気抜き室に空気抜き孔を設けたタイプがある。このタイプの水中ポンプは、空気を吸入した場合、ポンプ圧力低下時にガラス球が自重で下に落ちて上部位の空気抜き孔から空気が抜け、ポンプ圧力が出ればガラス球が押し上げられて空気抜き孔を塞ぐ仕組みである。しかし、このタイプの水中ポンプでも、固液混合水が空気抜き孔を通過し、この通過過程で空気抜き室に異物が堆積して、ガラス球の上下運動を阻害するので、ポンプ機能が停止することが多い。
【００１３】
ガラス球を封入した空気抜き室は、純粋な液体を対象とする用途で好結果が得られるものである。固液混合水を対象とする用途では、空気抜き室の異物堆積により、好結果が得られないことを確認した。
【００１４】
水中ポンプのインペラの中心付近の滞留空気は、インペラ外周状部位では気泡は無く、インペラの中心付近に滞留して動かない。
【００１５】
例えば、有機物の有機肥料化での処理槽に、汚物・汚水用の水中ポンプを装着した場合、出力０．７５［ｋｗ］の水中ポンプは、稼働騒音があってもそのまま使用可能であるが、出力１．５［ｋｗ］の水中ポンプは、吸振材経由での浮機工法により設置しなければ、稼働騒音が処理槽への固体伝播により容認できないくらい大きく、使用できない。
【課題を解決するための手段】
【００１６】
請求項１に記載の水中ポンプでは、固体及び液体を含む固液混合水が溜められた貯水槽内に設置されて、固液混合水を貯水槽内から外に移送する水中ポンプにおいて、固液混合水を吸入する吸入口及び固液混合水を吐き出す吐出口を有する水中ポンプ本体と、貯水槽内の底面に設置され、水中ポンプ本体を所定の傾斜角度で保持する傾斜ポンプ台と、水中ポンプ本体の内部で駆動軸と共に回転し、羽根を有するインペラとを備え、水中ポンプ本体は、空気抜き孔が不要であり、水中ポンプ本体の吐出口は、上部位に設けられ、インペラは、羽根付き螺子で前記駆動軸に結合されることを特徴とする。
【００１７】
水中ポンプは、インペラに空気が滞留するとポンプ機能が低下するので、空気抜き孔が必須である。本発明は、インペラへの空気の滞留を防止することにより、空気抜き孔が不要の水中ポンプを完成した。
【００１８】
水中ポンプは、既存形状であれば、インペラの形状及び空気抜き孔の構造が異なるだけである。このため、ポンプ本体を垂直に設置して使用するので、吸入口から吐出口に至るインペラの中心付近に空気が溜まる。
【００１９】
従って、ポンプの吸入口から空気が混入した場合でも、ポンプの吐出口から空気を導入排出させて、インペラに空気を滞留させなければ良い。
【００２０】
インペラに空気を滞留させないようにする為には、ポンプ吐出口を上部位に設けて、ポンプ本体を２０度前後に傾斜させて設置する。空気は、浮力により上昇しポンプの吐出口から排出される。異物は、インペラの中心付近に引っかかり停留しても、駆動軸と結合したインペラが湾曲羽根付き螺子又は傾斜羽根付き螺子を有するので、インペラ稼働により気泡と共にインペラから放出され、加圧水流により吐出口から排出される。
【００２１】
水中ポンプ本体を設置する傾斜角度は、ポンプの種類（メーカー製品）によって多少異なるがおおむね１７度から２０度迄の範囲で、空気の気泡を排除可能であることが確認された。
【００２２】
傾斜角度が９０度になれば、水平設置になる。９０度の傾斜角度の場合、ポンプの種類によって、メカニカルシールへの潤滑性能に影響を与えるものも有るが、モーター等のベアリングを含めて殆ど問題はない。垂直設置型の水中ポンプは、下部吸入で９０度流れの方向を変え、更に吐出口へ９０度流れの方向を変えている。水平設置型の水中ポンプの吐出口を真上にすれば、流体抵抗を少なくでき、空気抜き孔も必要でない事から新規設計では水平設置型の水中ポンプを考察実施した。
【００２３】
従来の垂直設置型の水中ポンプは、空気抜き孔２を不要とする為には、ポンプのインペラ室内の空気の溜まりを吐出口に自然排出させるしかない。その為には、水中ポンプ本体を約２０度、吐出口を上部位に向けて傾斜設置し、又は９０度倒して水平設置するしかない。これにより、ポンプの吸引口から入った空気は、浮力により上昇して、ポンプの吐出口に導かれ排出される。
【００２４】
同時に、空気抜き孔からのリーク水流を防止できるので、ポンプ揚程及びポンプ吐出量を僅かながら上昇できるメリットがある。
【００２５】
水中ポンプを傾斜設置又は水平設置させるかの選択は、用途や目的によって異なる。既存の水中ポンプを用いる場合は、空気抜き孔を螺子埋め込み等の穴埋め材でポンプ空気抜き孔を塞ぎ、傾斜ポンプ台を設置場所に応じて製作すれば良い。
【００２６】
また、新規に水中ポンプを設計製作する場合は、空気抜き孔を削除して、ポンプ型式に応じた傾斜設置のポンプ付き脚で、転倒モーメントを考慮して製作する。水平設置の場合、水中ポンプの基本構造は従来製品と違いはなく、傾斜角度が異なるだけである。
【発明の効果】
【００２７】
本発明では、５００［ｌ］、１０００［ｌ］、５０００［ｌ］、又は、その他の量の水槽に、汚物・汚水用の水中ポンプを装填し、ディスポーザー経由で加水破砕された有機物を含む固液混合水を水中ポンプで、有機物分解バイオによって水中分解消滅させる処理槽に移送投入した。水中ポンプを傾斜設置又は水平設置することにより、好結果が得られた。
【００２８】
空気抜き孔が不要となることにより、空気抜き孔付近に異物が堆積しないので、ポンプのインペラとの接触又は摩擦が減り、インペラの回転抵抗の増加が解消された。
【００２９】
次に、水中ポンプの使用による処理槽内の散気管での水中エアーレイション稼働中でも、従来製品はポンプのインペラ付近に滞留する空気によりポンプ機能が停止していた。しかし、エアーレイションによるエアーブロック現象は起きずに、水流攪拌に重要な吐出圧力と吐出水量も向上した。
【００３０】
インペラ周囲やインペラ裏側等への水流移行がなくなり、異物が詰まることがないので、インペラ付近は開放検査でも奇麗であった。
【００３１】
同時に、有機物ディスポーザーの加水破砕自動移送ユニットの破砕物貯留移送タンク内に設置した場合、従来の汚物・汚水用の水中ポンプでは、ディスポーザーの加水回転破砕時に発生する気泡が、貯留移送タンクに導入されてポンプの機能停止が頻繁に発生した。しかし、本発明では、ポンプの機能停止は無くなった。
【００３２】
本発明は、従来製品の水中ポンプに対して空気抜き孔を塞ぎ、インペラ装着の湾曲羽根付き螺子又は傾斜羽根付き螺子を設ければ良い。水中ポンプの傾斜設置又は水平設置によるデメリットは無く、既存の水中ポンプの空気抜き穴を塞ぐこと、及び、傾斜ポンプ台が必要なことだけである。
【発明を実施するための最良の形態】
【００３３】
空気抜き孔を塞ぐには、タッピング螺子を用いることが簡単である。市販のタッピング螺子は水中ポンプ本体１の空気抜き貫通孔部位の厚みよりも長いが、貫通部位の厚みと同様長さか、或は僅かに短いものでなければならない。その理由は、空気抜き孔２からポンプ室内へタッピング螺子の先端が飛び出すと、空気抜き孔が無くてもインペラ回転により汚物又は汚水に含まれる不純物があるので、この不純物が引っかかれば、空気抜き孔２の詰まり現象と同様の異物の堆積現象が起きるからである。
【００３４】
特に、一定容積の槽内で使用する場合、例えば４５度エルボ、９０度エルボの既存のＪＩＳ規格による配管材料を使用することに限定されることがあり、水中ポンプの吐出方向や傾斜角度までが４５度エルボ、９０度エルボにより影響を受ける。
【００３５】
４５度傾斜の場合は、４５度エルボの配管材料を装着する。２０度傾斜の場合は、４５度エルボのＶＰパイプ又はＶＵパイプの中央部位を加熱軟化させて２０度エルボに曲げ戻して装着する。曲げ戻しパイプは、曲げ増しパイプに比して、円周外側の肉痩せがないので安心である。
【００３６】
水中ポンプ台には、ステンレス鋼材、普通鋼材、又は、樹脂等が用いられる。また、コンクリートに水中ポンプを装着するアンカーボルト付の傾斜面コンクリートも実施し、水中ポンプの安定性を廉価で維持して効果を上げることができた。
【００３７】
傾斜設置又は水平設置の水中ポンプ台を、各製造メーカーが販売する水中ポンプ昇降枠に設置するだけで、傾斜設置又は水平装着が可能であり、空気抜き孔による弊害を解消できる。
【００３８】
インペラ１１に滞留するサクション気泡群２１は、インペラの中心付近に滞留する。このため、駆動軸１９とインペラ１１の中心での結合に、湾曲羽根付き螺子２０、傾斜羽根付き螺子２４、垂直羽根付き螺子２５を装着し、且つ、湾曲羽根、傾斜羽根、垂直羽根、共に、中央部羽根高さを山高形状にして、各羽根形状高さがインペラ羽根２２よりも高くする。湾曲羽根付き螺子２０又は傾斜羽根付き螺子２４は、インペラ１１の中心付近に滞留する空気中で気中回転ではなく、螺子中央山高羽根により液体攪拌を行い、効率的に気泡を排除できる。
（実施例１）
【００３９】
図１は、本発明の第１実施形態の水中ポンプを示す外観図である。図１の水中ポンプは、水中ポンプ本体１、空気抜き孔２、穴埋め材３、吐出口４、ポンプ付き脚５、傾斜ポンプ台６、固定据付け材７、水平台８、吸振材９、転倒防止枠１０、インペラ１１、フラットバー曲げ板１２、吸引開口部１４（吸引口）、駆動軸１９、及び、湾曲羽根付き螺子２０を備える。図１の水中ポンプは、バイオによる水中分解消滅処理槽内に設置され、処理槽内のバイオ水の水流攪拌に用いる汚物・汚水用の水中ポンプである。
【００４０】
図１の水中ポンプは、ディスポーザーによって１０［ｍｍ］以内角の形状に加水破砕された有機物を、破砕水と共に処理槽内に移送投入する。植物性の有機物は、分解過程の分解速度の違いから植物性蛋白質等が早く分解されて、繊維素となる。しかし、この糸状の繊維素は、分解までに数日を要し、処理槽内には一定量の糸くず状の繊維素が滞留する。
【００４１】
企業やレストラン等の紿食残渣処理では、残渣と共に入るつま楊枝が、分解日数を要して処理槽内に長く滞留し、１０［ｍｍ］前後の糸くず状の繊維素や、他の粒状汚物が、水中ポンプの空気抜き孔を水流と共に通過する過程で詰まり現象を起こす。これに対し本発明では、水中ポンプの空気抜き孔を最初から塞ぎ、インペラーのエアーの滞留を完全に解消する。
【００４２】
図１に示すように、既存の水中ポンプ本体１にある空気抜き孔２をシ−ル螺子又はタッピング螺子等の穴埋め材３で塞ぐ。ポンプの吐出口４を傾斜状部位に正確に向けてポンプ付き脚５を傾斜ポンプ台６に乗せ固定据付け材７で固着する。図１では、フラットバーをＳ字型に曲げて水中ポンプ本体１と傾斜ポンプ台６とに、ボルトナットで固定した。
【００４３】
各社製造の水中ポンプの実施結果によると、最低約１８度前後傾斜させれば、インペラのエアー滞留によるポンプの機能停止は無い。最大でも２０度傾斜させれば、インペラのエアー滞留によるポンプの機能停止は解消される。
例えば、荏原製作所製の水中ポンプ（型式５０ＤＷＶ６．７５Ａ、出力０．７５［ｋｗ］）を用いた場合、汚物・汚水用の水中ポンプとして２０度に傾斜設置すると、水中散気エアーレイションがあっても、ポンプ機能を継続的に発揮できた。
【００４４】
水中ポンプは、地中埋設の下水処理用、又は、農業灌漑用等の、稼働騒音に無頓着の施設で使用される。本実施例では、ディスポーザー破砕有機物の水中分解槽で使用した。出力０．７５［ｋｗ］の水中ポンプまでは騒音を容認できる。しかし、ポンプ容量出力１．５［ｋｗ］の水中ポンプでは、吸振材９を経由して処理槽等容器に固定しないと、騒音を容認できない。
【００４５】
図１は、傾斜設置の水中ポンプ台の基本形状を示したものである。水中ポンプは、各ポンプの製造メーカーにより、出力［ｋｗ］を有するものでも水中ポンプの高さが異なる。特に、大きな高さの水中ポンプは、モーター質量により水中ポンプの質量配分の点で安定性に欠ける。重心位置がポンプ足から離脱して転倒モーメントが働く場合には、必要な転倒防止枠１０によって支える。
【００４６】
また、吐出口４を真上に向けて傾斜角度を９０度にすれば、横倒しの水平設置になる。水中ポンプによっては、シーリング潤滑油の液面変化により影響を受けるので、２０度前後の傾斜設置は良いが水平設置を嫌うメーカーがあった。
【００４７】
何れも傾斜設置であれば、水中ポンプ台にしっかりと固定する必要がある。空気抜き孔を塞いだ本実施例では、有機物水中分解処理槽内への酸素供給目的と、曝気攪拌をかねて、傾斜ポンプ台６の下部に散気管を装着して、水中ポンプの稼働と同時に散気も行った。従来の垂直設置では、エアーの滞留によるポンプの機能停止を確認し、本発明による２０度の傾斜設置では、何ら異常は無く、滞留エアーを吐出口から放出し、ポンプの機能停止がないことを確認した。
【００４８】
そして、有機物破砕投入の処理槽内に設置した水中ポンプを１か月間稼働させた。水中ポンプ本体１のインペラ１１を駆動軸１９から分離して検査し、繊維状又は他の異物が堆積しているが、ポンプ機能には影響を与えないことを確認した。空気抜き孔２の異物詰まりによるエアー滞留で生じるポンプの機能停止は、認められなかった。
（実施例２）
【００４９】
図１に示すように、固定据付け材７は、フラットバー曲げ板１２のＳＵＳ−３０４素材の厚み４［ｍｍ］で巾３０［ｍｍ］のフラットバーをＳ字型に曲げたものが用いられ、水中ポンプ本体１を傾斜ポンプ台６に固着する。固定据付け材７の一方は、付属のボルトで水中ポンプ本体１に固着され、固定据付け材７の他方は、ボルトで傾斜ポンプ台６のタップ孔に固着される。
これにより、水中ポンプ起動時の反動に対しても十分な強度を有する。
（実施例３）
【００５０】
図２は、本発明の第２実施形態の水中ポンプを示す外観図である。図２の水中ポンプは、ポンプ囲い枠１３を有する傾斜ポンプ台６を備える点が、図１の水中ポンプと異なる。ポンプ囲い枠１３は、傾斜ポンプ台６上に固着され、水中ポンプ本体１の下部形状と合うように中空の形状を有し、必要であれば内側にゴム等の吸振材９が張られる。水中ポンプの下部は、ポンプ囲い枠１３の中空部分に挿入装着される。
２０度を越える傾斜角度又は吐出管の方向により転倒モーメントが大きくなる場合がある。係る場合には、転倒防止枠１０を装着するか、又は、ポンプ囲い枠１３の高さを大きくする。
【００５１】
ポンプ囲い枠１３の傾斜ポンプ台６の内面底部は、吸引開口部１４を設けて、ポンプ吸引吸い込みを容易にしポンプ効率の低下を防止する。
（実施例４）
【００５２】
図３は、本発明の第３実施形態の水中ポンプを示す外観図である。図３の水中ポンプは、中空柱１５を有する傾斜ポンプ台６を備える点が、図１の水中ポンプと異なる。中空柱１５は、傾斜ポンプ台６の上に固着され、必要な内面部及び底部にゴム等の吸振材９が張られ、水中ポンプ本体１のポンプ付き脚５が入る。中空柱１５は、水中ポンプ本体１のポンプ付き脚５が抜けないだけの長さを有している。
水中ポンプ本体１は、ポンプ付き脚５を中空柱１５に差し込めば、傾斜設置が可能である。転倒モーメントが掛かっても、水中ポンプ稼働時に土出荷重が掛かっても浮力は掛からないので、転倒落下の危険性は小さい。
（実施例５）
【００５３】
図４は、本発明の第４実施形態の水中ポンプを示す外観図である。図４の水中ポンプは、傾斜ポンプ台６に代えて固定据付け材７を備える点が、図１の水中ポンプと異なる。
図５は、図４のポンプ付き脚及び固定据付け材の拡大図である。固定据付け材７は、中空の形状を有し、吸振材９を介して水平台８に固定される。水中ポンプ本体１のポンプ付き脚５は、固定据付け材７内に挿入され、かんぬき式、ピン挿入式、又は、ボルト・ナット式で固定される。水中ポンプは、傾斜設置又は水平設置される。
（実施例６）
【００５４】
図６は、本発明の第５実施形態の水中ポンプを示す外観図である。図６の水中ポンプは、蝶番１６を有する傾斜ポンプ台６を備える点が、図１の水中ポンプと異なる。傾斜ポンプ台６は、蝶番１６を有し、傾斜角度を連続的に変化できる。水中ポンプの条件に対応して、自由な傾斜角度に設定できる。
（実施例７）
【００５５】
図７は、本発明の第６実施形態の水中ポンプを示す外観図である。図７の水中ポンプは、傾斜ポンプ台６が水平回転軸１８を介して水平台８に固定される点が、図１の水中ポンプと異なる。水平回転軸１８は、水平台８の中央部位に回転可能な状態で設置される。傾斜ポンプ台６は、水平回転軸１８に固定され、水平台８に対して３６０度回転可能である。水中ポンプは、設置場所の環境等に対応して、自由な回転位置に設定できる。
（実施例８）
【００５６】
図８は、湾曲羽根付き螺子２０が装着されたインペラを示す外観図である。図９は、図８のインペラの中心付近の断面図である。ポンプ機能が停止する原因は、異物の堆積よりもインペラへの空気滞留であることが大きい。
【００５７】
インペラ１１の中心付近の空気は、インペラ１１の回転によって、インペラ１１の中心付近にサクション気泡群２１として滞留する。
【００５８】
インペラ１１の中心付近は、インペラ１１と駆動軸１９とを結合する螺子部が存在する。インペラ羽根２２は、この螺子部の存在によりインペラ１１の中心付近に存在しない。水中ポンプは、インペラ１１の中心付近で吸引された気泡が溜まりやすく、空気抜き孔２が必要である。
【００５９】
本実施例では、サクション気泡群２１がインペラ１１の中心付近に滞留しても、インペラ１１及び湾曲羽根付き螺子２０の回転により、湾曲羽根付き螺子２０の中央山高部で水流が発生し、サクション気泡群２１を排除して、吐出口４から水中ポンプ本体１の外に排出するものである。
【００６０】
湾曲羽根付き螺子（２０）の羽根数は、左右対象の２枚、正三角の３枚、９０度対象の４枚で実施したが、全て良好であった。
【００６１】
湾曲羽根付き螺子２０は、羽根の先端をインペラ羽根２２の中央部位に隣接して連結状態にする必要がない。駆動軸１９及びインペラ１１の湾曲羽根付き螺子２０による結合は、湾曲羽根付き螺子２０の頭部中央に六角レンチ穴２３を設け、湾曲羽根付き螺子２０の羽根を手でもって締めつけるか、材質的強度により六角レンチ穴２３を介して締めつけても良い。インペラ（１１）の回転によって生じる水流の方向、及び、湾曲羽根付き螺子２０の羽根が受けるトルク方向は、各種形状の羽根付き螺子を締めつけるトルク方向と同じである。このため、インペラ１１が脱落する危険性は少ない。
【００６２】
本実施形態の湾曲羽根付き螺子２０を装着し空気抜き孔２を塞いだ水中ポンプを用いて、垂直設置及び２０度に傾斜設置して、稼働試験を行った。
双方の稼働試験では、羽根なしの螺子を有するインペラを装着した水中ポンプに比して、顕著な効果が認められた。また、垂直設置の場合でも、インペラ１１の中心付近のサクション気泡群２１を排除することができた。
【００６３】
特に、２０度に傾斜設置した稼働試験では、インペラ１１の中心付近のサクション気泡群２１を排除する効果が顕著であった。そして、空気抜き孔２を塞ぐことによる水圧リークの減少、及び、水中ポンプ本体１の傾斜による水流の変化により、仕様書に記載された以上のポンプの機能を発揮できた。
（実施例９）
【００６４】
図１０は、傾斜羽根付き螺子が装着されたインペラを示す外観図である。図１０の傾斜羽根付き螺子２４が装着されたインペラ１１は、インペラ１１の中心付近に滞留するサクション気泡群２１を、インペラ１１及び傾斜羽根付き螺子２４の回転により、排除してエアーブロック現象によるポンプの機能停止を解消させるものである。傾斜羽根付き螺子２４は、回転方向に数度傾斜させたものであり、傾斜羽根の中央山高部位からの液体まきこみで気泡を拡散して排除する効果がある。
（実施例１０）
【００６５】
図１１は、垂直羽根付き螺子が装着されたインペラを示す外観図である。図１１の垂直羽根付き螺子２５が装着されたインペラ１１は、インペラ１１の中心付近に滞留するサクション気泡群２１を、インペラ１１及び垂直羽根付き螺子２５の回転によって排除して、エアーブロック現象によるポンプの機能停止を解消するものである。垂直羽根付き螺子２５は、高さを大きくしてサクション気泡群２１の気泡中での気中回転を効率的にして、山高形状にするものである。
（実施例１１）
【００６６】
図１２は、羽根付き螺子を有するインペラを装着した水中ポンプの実施例１を示す外観図である。図１２の水中ポンプは、従来製品が用いられ、垂直設置される。図１２の従来製品の水中ポンプは、水中ポンプ本体１の空気抜き孔２が塞がれる。インペラ１１及び駆動軸１９は、湾曲羽根付き螺子２０、傾斜羽根付き螺子２４、又は、垂直羽根付き螺子２５の何れかによって固着される。このため、エアーブロック現象の要因となるインペラ１１の中心付近に滞留するサクション気泡群２１を排除するものであり、顕著な効果を有する。
（実施例１２）
【００６７】
図１３は、羽根付き螺子を有するインペラを装着した水中ポンプの実施例２を示す外観図である。図１３の水中ポンプは、従来製品が用いられ、水平設置される。図１３の従来製品の水中ポンプは、水中ポンプ本体１の空気抜き孔２が塞がれ、水平台８上に吸振材９を介して固定され、実施例１と同様の効果を有する。
（実施例１３）
【００６８】
図１４は、羽根付き螺子を有するインペラを装着した水中ポンプの実施例３を示す外観図である。図１４の水中ポンプは、新規製品が用いられ、傾斜設置される。
図１４の新規製品の水中ポンプは、水中ポンプ本体１の新規設計の段階で、空気抜き孔２を削除し、吐出口４を上部位にして傾斜設置したものであり、実施例１と同様の効果を有する。
（実施例１４）
【００６９】
図１５は、羽根付き螺子を有するインペラを装着した水中ポンプの実施例４を示す外観図である。図１５の水中ポンプは、新規製品が用いられ、水平設置される。図１５の新規製品の水中ポンプは、水中ポンプ本体１の新規設計の段階で、空気抜き孔２を削除し、吐出口４を上部位にして水平設置したものあり、実施例１と同様の効果を有する。
【００７０】
水中ポンプ本体１の吐出口４を上部位にすることにより、水中ポンプ本体１の吸引開口部１４から吸引導入された液体は、移動方向を９０度変えれば、そのまま吐出口４から排出されえるので、流体抵抗を減少させることができる。
【００７１】
図１６は、本発明の水中ポンプの使用例１を示す外観図である。使用例１では、水中ポンプをディスポーザーの破砕貯留槽内に設置する。水中ポンプは、破砕貯留槽内の固液混合水を外に移送する。
【００７２】
図１７は、本発明の水中ポンプの使用例２を示す外観図である。使用例２では、水中ポンプを有機肥料処理槽内に設置する。水中ポンプは、有機肥料処理槽内の固液混合水を外に移送する。
【図面の簡単な説明】
【００７３】
【図１】本発明の第１実施形態の水中ポンプを示す外観図である。
【図２】本発明の第２実施形態の水中ポンプを示す外観図である。
【図３】本発明の第３実施形態の水中ポンプを示す外観図である。
【図４】本発明の第４実施形態の水中ポンプを示す外観図である。
【図５】図４のポンプ付き脚と固定据付け材とを示す断面図である。
【図６】本発明の第５実施形態の水中ポンプを示す外観図である。
【図７】本発明の第６実施形態の水中ポンプを示す外観図である。
【図８】湾曲羽根付き螺子が装着されたインペラの外観図である。
【図９】図８のインペラの中心付近の断面図である。
【図１０】傾斜羽根付き螺子が装着されたインペラの外観図である。
【図１１】垂直羽根付き螺子が装着されたインペラの外観図である。
【図１２】羽根付き螺子が装着されたインペラを備えた水中ポンプの実施例１を示す外観図である。
【図１３】羽根付き螺子が装着されたインペラを備えた水中ポンプの実施例２を示す外観図である。
【図１４】羽根付き螺子が装着されたインペラを備えた水中ポンプの実施例３を示す外観図である。
【図１５】羽根付き螺子が装着されたインペラを備えた水中ポンプの実施例４を示す外観図である。
【図１６】本発明の水中ポンプの使用例１を示す外観図である。
【図１７】本発明の水中ポンプの使用例２を示す外観図である。
【符号の説明】
【００７４】
１    水中ポンプ本体
２    空気抜き孔
３    穴埋め材
４    吐出口
５    ポンプ付き脚
６    傾斜ポンプ台
７    固定据付け材
８    水平台
９    吸振材
１０  転倒防止枠
１１  インペラ
１２  フラットバー曲げ板
１３  ポンプ囲い枠
１４  吸引開口部（吸引口）
１５  中空柱
１６  蝶番
１７  傾斜維持枠
１８  水平回転軸
１９  駆動軸
２０  湾曲羽根付き螺子
２１  サクション気泡群
２２  インペラ羽根
２３  六角レンチ穴
２４  傾斜羽根付き螺子
２５  垂直羽根付き螺子